(57)【特許請求の範囲】
【請求項１】
公衆回線、ＬＡＮ、個別インターフェースの内の少なくとも２つを介して、ファクシミリ、およびファクシミリ以外の画像処理装置に接続されたファクシミリ装置において、
番号と出力情報の対からなる出力装置指定情報を複数登録する登録手段と、
前記番号を指定することにより、入力あるいは受信した画情報を、対応する出力情報で指定される出力装置に送信する送信手段とを備え、
前記出力情報は、電話番号および前記ＬＡＮにおけるアドレスを含み、
前記登録手段は、１つの前記番号に対して電話番号および前記ＬＡＮにおけるアドレスを登録可能であり、
前記送信手段は、前記出力情報で指定される宛先が電話番号の場合は公衆回線を介して前記画情報を送信し、前記出力情報で指定される宛先がＬＡＮにおけるアドレスの場合はＬＡＮを介して前記画情報を送信することを特徴とするファクシミリ装置。
【発明の詳細な説明】
【０００１】
【産業上の利用分野】
本発明は、例えばファクシミリ装置等の情報送信装置に関し、あるいは新たに入力装置別に出力装置を設定する能力を持たせることにより、任意のメディアの送信先に情報の送信を可能にする情報送信装置に関するものである。
【０００２】
【従来の技術】
従来、例えばファクシミリには短縮ダイヤル機能を持つものがあり、相手先電話番号を登録しておくことにより、１回の操作で登録した相手先に画情報を送信することができた。
【０００３】
また、電子メール、データベース等のサービスシステムにおいては、例えば特開昭６３−４６８４３号公報に開示されているように、メール文書の登録時あるいは検索条件の登録時に、配信文書をいかなるメディアに出力するかという出力形式を発信側端末から制御可能とする技術が提案されている。
【０００４】
【発明が解決しようとする課題】
上記したような、例えば従来のファクシミリ装置の短縮ダイヤル機能では、送信側ファクシミリ装置でしか短縮ダイヤルの指示が出来なかった。また、例えば従来のファクシミリ装置では、送信先も交換網を経由したファクシミリ装置に限定されているという問題点があった。また電子メール等のシステムにおいても、出力形式の指定が発信側端末からしか出来ないという問題点があった。
【０００５】
本発明の目的は、前記のような従来技術の問題点を解決し、入力情報あるいは受信情報を任意のメディアの送信先に簡単に送信することができる情報送信装置を得ることにある。
【０００６】
【課題を解決するための手段】
本発明は、公衆回線、ＬＡＮ、個別インターフェースの内の少なくとも２つを介して、ファクシミリ、およびファクシミリ以外の画像処理装置に接続されたファクシミリ装置において、番号と出力情報の対からなる出力装置指定情報を複数登録する登録手段と、前記番号を指定することにより、入力あるいは受信した画情報を、対応する出力情報で指定される出力装置に送信する送信手段とを備え、前記出力情報は、電話番号および前記ＬＡＮにおけるアドレスを含み、前記登録手段は、１つの前記番号に対して電話番号および前記ＬＡＮにおけるアドレスを登録可能であり、前記送信手段は、前記出力情報で指定される宛先が電話番号の場合は公衆回線を介して前記画情報を送信し、前記出力情報で指定される宛先がＬＡＮにおけるアドレスの場合はＬＡＮを介して前記画情報を送信することを特徴とする。
【０００７】
【作用】
このような手段により、本体または外部装置からの指示に基づき、入力情報または受信情報を、ファクシミリやＬＡＮへ混在転送または混在同報することが可能になる。
【０００８】
【実施例】
以下に本発明の実施例を図面を参照して詳細に説明する。
図１は本発明が適用されるファクシミリ転送装置を含むネットワークの１例を示すブロック図である。ファクシミリ転送装置１は詳細は後述するが、回線１４によって電話網と接続されており、電話網を介して他のファクシミリＡ１１、Ｂ１２等と通信を行う。
【０００９】
また、例えばＧＰＩＢ、ＳＣＳＩ等のバスにより、ホストＡ２、Ｂ３、ハードディスク、光磁気ディスク等の記憶装置４、プリンタ５、スキャナ６等に接続されている。さらに、イーサネット等のＬＡＮにより、サーバー８、端末９等と接続されている。これらのホスト、記憶装置、入出力装置、サーバー、端末はいずれもファクシミリの画像データを入出力あるいは処理、蓄積可能なものである。
【００１０】
図２はファクシミリ転送装置１の内部構成を示すブロック図である。ＣＰＵ２０はＲＯＭ２１に記憶されたプログラムに従って、ファクシミリ転送装置１全体の制御を行う。ＲＡＭ２２は入力あるいは受信した画情報を記憶し、あるいは各種制御データを記憶している。
【００１１】
スキャナ２３は原稿を読み取り画情報データを出力する。プリンタ２４は画情報データを印刷する。外部入出力部Ａは、例えばＧＰＩＢ、ＳＣＳＩ等のバス用インターフェース回路である。また、外部入出力部Ｂは、例えばイーサネット、トークンリング等のＬＡＮ用インターフェース回路である。短縮ダイヤル記憶部２７は、例えばバッテリバックアップされたＲＡＭあるいはフラッシュメモリ等で構成されており、後述する短縮ダイヤル情報が記憶される。
【００１２】
通信制御部２８は通信制御装置および網制御装置等からなり、電話網および相手ファクシミリとの交換制御、伝送制御、手順制御等を行う。符号化部２９は画情報データを定められた方式で符号化（圧縮）する。また復号化部３０は符号化された画信号を元の画情報データに復号化（伸張）する。
【００１３】
拡大、縮小部３１は、入力あるいは受信された画情報データを出力装置の仕様等に合わせて拡大縮小する。入力部３２は例えばパネルスイッチから構成されており、オペレータが電話番号、短縮番号、各種指示等を入力する他、短縮ダイヤル情報の登録、削除も行われる。表示部３３は例えばＬＣＤ表示装置等からなり、装置の状態、入力したキー情報等を表示する。３４は装置内部の各回路間を接続するバスである。
【００１４】
つぎに、データについて説明する。
図３は短縮ダイヤル記憶部２７に記憶される短縮ダイヤル情報を示す図である。この例では、例えば０１から９９までの短縮ダイヤルに対して、複数の出力情報を登録可能になっている。基本の項には、入力装置別の出力指示が無い場合（従来の短縮ダイヤルと同様のもの）の出力情報を登録することができ、また入力別指示の項には、入力装置Ａ〜Ｚ（数は任意）別の出力情報を登録することができる。
【００１５】
表の最後の行は、単に入力別に出力装置を登録することにより、入力装置と出力装置を半固定的に接続するための出力情報である。各出力情報欄には複数の出力情報を登録することが可能であり、出力情報の詳細を図４に示す。各出力情報には、図に示すような情報項目がある。電話番号は従来の短縮ダイヤルと同様の電話網等の相手先加入者番号である。
【００１６】
出力装置情報はファクシミリ以外の装置を指定する場合の出力装置の種類を示す情報である。出力装置アドレスは、上記出力装置のアドレスであり、例えばＬＡＮ等における端末アドレス情報である。転送モード（通信モード）は、上記出力装置との間の、例えば伝送速度、信号フォーマット、伝送制御手順の種類等の通信制御情報である。
【００１７】
中継局情報以降はファクシミリ用の情報である。中継局は該局を経由して画情報を転送する場合にセットされる。線密度、サイズは該出力ファクシミリについて指定する必要がある場合にセットされる。時刻情報には送信を開始する時刻をセットすることが可能である。結果通知情報は通信結果を出力すべき装置の情報である。
【００１８】
図３の各出力情報欄には、図４に示すような出力情報が複数個登録可能である。なお１つの電話網のファクシミリと、１つのファクシミリ以外の出力装置であれば、１つの出力情報単位で指定可能である。これらの情報はパネルから設定することができる。
【００１９】
つぎに動作について説明する。
図５、図６は、例えば図１に示すようなシステムのファクシミリ転送装置におけるホストからの画情報の受信、転送動作を示すフローチャートである。ステップＳ１においては、ホストから短縮ダイヤル指示があったか否かが調べられ、指示があった場合にはステップＳ６に移行するが、指示が無かった場合にはステップＳ２に移行する。
【００２０】
ステップＳ２においては、入力装置別の出力指定情報が登録されているか否かが調べられ、該出力指定登録も無い場合にはステップＳ３に移行する。ステップＳ３においては、ホストからの出力指定があるか否かが調べられ、指定が無い場合にはステップＳ４に移行する。
【００２１】
ステップＳ４においては、蓄積可能か否かが調べられる。ファクシミリ転送装置がポーリングリング用蓄積、蓄積原稿転送等が可能であり、かつメモリが空いてる場合には蓄積可能であるので、ステップＳ５に移行し、画情報を受信し、メモリに蓄積して処理を終了する。ステップＳ４において、蓄積不可能である場合にはエラー処理に移行し、入力装置にエラーを通知して終了する。
【００２２】
ステップＳ６においては、入力装置別の出力指定情報が登録されているか否かが調べられ、該出力指定登録が無い場合にはステップＳ７に移行し、図３において短縮番号に対応した基本出力情報を参照して出力先を決定する。ステップＳ６において、入力装置別の出力指定が登録されている場合には、ステップＳ８に移行し、図３の入力別指示の欄の出力情報を参照して、短縮番号および入力装置から出力先を決定する。
【００２３】
ステップＳ２において、入力装置別の出力指定が登録されていた場合には、ステップＳ９に移行し、図３の最後の行の出力情報を参照して、入力装置から出力先を決定する。またステップＳ３において、ホストからの出力指定があった場合にはステップＳ１０に移行し、該指定に従って出力先を決定する。これ以降は図６に続く。
【００２４】
図６に移って、ステップＳ１１においては、出力情報によって指定された出力装置が受信可能であるか否かが調べられ（複数出力の場合には少なくとも１つは確認する。）、可能である場合にはステップＳ１２に移行する。ステップＳ１２においてはホストから画情報を受信し、ステップＳ１３においては受信した画情報を指定された出力装置に転送する。なおステップＳ１２と１３とは同時に行ってもよい。また受信した画情報を蓄積する場合にはステップＳ１１を省略することも可能である。
【００２５】
ステップＳ１１において、出力装置が受信不可能である場合、あるいは存在しない出力装置を指定した場合には、ステップＳ１４に移行し、エラー通知が必要であるか否かが調べられる。ステップＳ１４においてエラー通知が必要である場合には、ステップＳ１５に移行し、出力情報内に指定された出力装置にエラー通知を出力する。
【００２６】
ステップＳ１６においては、通信を中断すべきか否かが調べられ、中断すべきである場合には、中断処理に移行する。また中断すべきでない場合には、ステップＳ１７に移行し、ホストからの画情報を受信し、ＲＡＭ等のメモリに蓄積する。ステップＳ１８においては、指定された出力装置が受信可能か否かが調べられ、受信可能であればステップＳ１３に移行する。
【００２７】
ステップＳ１８において出力装置が受信不可能である場合には、ステップＳ１９に移行し、タイマー設定指示があるか否かが調べられ、該指示が無い場合にはステップＳ１８に戻るが、指示があった場合にはステップＳ２０に移行する。ステップＳ２０においては、所定値のタイマーを設定する。
【００２８】
ステップＳ２１においては、指定された出力装置が受信可能か否かが調べられ、受信可能であればステップＳ１３に移行するが、出力装置が受信不可能である場合には、ステップＳ２２に移行し、タイマーがタイムアウトしたか否かが調べられる。
【００２９】
ステップＳ２２においてタイマーがタイムアウトしていない場合には、ステップＳ２１に戻るが、タイムアウトした場合にはステップＳ２３に移行する。ステップＳ２３においては、エラー通知が必要であるか否かが調べられ、通知が必要である場合にはステップＳ２４に移行し、出力情報内に指定された出力装置にエラー通知を出力して、中断処理に移行する。
【００３０】
なお、ステップＳ１８以降の処理は一例であって、例えばステップＳ１７において画情報を蓄積した後、他の処理を行いながら、周期的に出力装置の状態を監視するようにしてもよい。
【００３１】
以上実施例を説明したが、以下に示すような変形例も考えられる。
出力先の指定方法については、入力別出力指示が登録されていれば、これが優先して採用される例を示したが、入力別出力指示情報を採用するか否かを入力装置から指定できるようにしてもよい。
短縮ダイヤル情報の登録は、ファクシミリ転送装置のパネルから入力し、セットする例を示したが、例えばホスト等の外部装置から短縮ダイヤル情報（出力情報）のセットおよび読み出しができるようにしてもよい。
【００３２】
図１の例では、バスやＬＡＮに接続する例を示したが、例えばＲＳ２３２Ｃ等のインターフェースにより、１つの、あるいは複数のホストと１対１に接続されてもよい。また公衆網も、ＩＳＤＮやデータ交換網、ＰＢＸ、ファクシミリ網でもよい。つまり、接続される装置の種類や接続形態は任意である。
受信データを一切加工しないで転送することも可能であり、送信側と受信側の合意により、ファクシミリ以外のデータを扱うことも可能である。
【００３３】
登録あるいは指定された出力装置が存在しない場合には、登録に誤りがあることを例えば入力装置に通知する、または本装置に表示するようにし、その通信を中断するか、あるいは蓄積して出力装置が接続されるまで保持するかを選択できるようにしてもよい。
【００３４】
【発明の効果】
以上述べたような本発明によれば、任意のメディアの送信先に入力情報または受信情報を簡単な操作で送信することができるという効果がある。
【図面の簡単な説明】
【図１】転送装置を含むシステムの１例を示すブロック図である。
【図２】ファクシミリ転送装置の内部構成を示すブロック図である。
【図３】短縮ダイヤル情報を示す説明図である。
【図４】出力情報の詳細を示す説明図である。
【図５】受信動作を示すフローチャート（その１）である。
【図６】受信動作を示すフローチャート（その２）である。
【符号の説明】
１…ファクシミリ転送装置、２、３…ホスト、４…記憶装置、５…プリンタ、６…スキャナ、７…バス、８…サーバー、９…端末、１０…ＬＡＮ、１１、１２…ファクシミリ、１３…電話網、１４…回線。
【図１】
0003569925.tif 000002
【図２】
0003569925.tif 000003
【図３】
0003569925.tif 000004
【図４】
0003569925.tif 000005
【図５】
0003569925.tif 000006
【図６】
0003569925.tif 000007